Podtech/llm-jp-corpus-v4-ja_patent huggingface dataset:
【手続補正書】
【提出日】平成26年6月4日(2014.6.4)
【手続補正１】
【補正対象書類名】特許請求の範囲
【補正対象項目名】全文
【補正方法】変更
【補正の内容】
【特許請求の範囲】
【請求項１】
被写体を撮像して該被写体の画像データを連続的に生成する撮像部と、前記撮像部が生成した前記画像データに対応する画像を生成順に表示する表示部と、前記撮像部が生成した前記画像データを生成順に仮記憶する仮記憶部と、を備えた撮像装置であって、
当該撮像装置が移動する移動方向を判定する移動方向判定部と、
連続して生成される複数の前記画像データにそれぞれ含まれる画像情報の変化に基づいて、時間の経過とともに画面内で移動する移動被写体を、前記移動方向に応じて定まる主要被写体の候補である主要被写体候補として検出する主要被写体候補検出部と、
を備えたことを特徴とする撮像装置。
【請求項２】
前記主要被写体候補検出部が検出した前記主要被写体候補が前記移動方向判定部によって判定された前記移動方向に移動している場合、前記主要被写体候補を前記主要被写体として設定する主要被写体設定部と、
前記主要被写体設定部が設定した前記主要被写体が所定の領域に位置する画像を、前記仮記憶部が仮記憶する画像群から検出する画像検出部と、
をさらに備えたことを特徴とする請求項１に記載の撮像装置。
【請求項３】
前記主要被写体設定部は、前記主要被写体候補が移動する移動方向と前記移動方向判定部によって判定された前記移動方向とが複数回一致する場合、前記主要被写体候補を前記主要被写体として設定することを特徴とする請求項２に記載の撮像装置。
【請求項４】
前記所定の領域は、前記画像の略中央部であり、
前記画像検出部が検出した画像に対応する画像データに、前記主要被写体が前記略中央部に位置する中央画像であることを示す情報を付加する情報付加部と、
をさらに備えたことを特徴とする請求項２または３に記載の撮像装置。
【請求項５】
当該撮像装置に撮影を指示する指示信号の入力を受け付けるレリーズスイッチと、
前記レリーズスイッチが前記指示信号の入力を受け付けたとき、前記撮像部が生成する前記画像データを取得する撮影制御部と、
前記撮影制御部が取得した画像データに対応する撮影画像を前記表示部に表示させるとともに、前記仮記憶部が仮記憶する前記画像データ群に含まれる複数の画像の少なくとも一部を前記表示部に表示させる表示制御部と、
をさらに備えたことを特徴とする請求項４に記載の撮像装置。
【請求項６】
前記表示制御部は、前記情報付加部が前記情報を付加した前記中央画像を識別可能な表示態様で前記表示部に表示させることを特徴とする請求項５に記載の撮像装置。
【請求項７】
前記表示制御部は、前記中央画像と前記撮影画像とを並べた状態で前記表示部に表示させることを特徴とする請求項５または６に記載の撮像装置。
【請求項８】
前記表示制御部は、前記画像データ群に含まれる複数の画像を生成順に前記表示部の表示画面上をスライドさせながら前記表示部に表示させることを特徴とする請求項５〜７のいずれか一つに記載の撮像装置。
【請求項９】
前記表示部が表示する前記複数の画像の少なくとも一部の中から画像を選択する選択信号の入力を受け付ける入力部と、
前記入力部が受け付けた前記選択信号に応じた画像に対応する画像データを記憶する画像データ記憶部と、
をさらに備えたことを特徴とする請求項５〜８のいずれか一つに記載の撮像装置。
【請求項１０】
当該撮像装置の加速度を検出する加速度検出部をさらに備え、
前記移動方向判定部は、前記加速度検出部の検出結果に基づいて、前記移動方向を判定することを特徴とする請求項１〜９のいずれか一つに記載の撮像装置。
【請求項１１】
前記移動方向判定部は、前記加速度検出部が検出する前記加速度が略周期的に変化する場合、当該撮像装置が移動状態であると判定することを特徴とする請求項１０に記載の撮像装置。
【請求項１２】
前記撮像部の光軸を基準としたときの方位を検出する方位検出部をさらに備え、
前記移動方向判定部は、前記方位検出部の検出結果に基づいて、前記移動方向を判定することを特徴とする請求項１〜９のいずれか一つに記載の撮像装置。
【請求項１３】
前記移動方向判定部は、前記方位検出部が検出する検出結果が略周期的に変化する場合、当該撮像装置が移動状態であると判定することを特徴とする請求項１２に記載の撮像装置。
【請求項１４】
前記画像に基づいて、コントラストを検出するコントラスト検出部をさらに備え、
前記移動方向判定部は、前記コントラスト検出部が検出するコントラストの変化に基づいて、前記移動方向を判定することを特徴とする請求項１〜９のいずれか一つに記載の撮像装置。
【請求項１５】
被写体を撮像して該被写体の画像データを連続的に生成し、前記画像データに対応する画像を生成順に表示するとともに仮記憶が可能な撮像装置が実行する撮像方法であって、
当該撮像装置が移動する移動方向を判定する移動方向判定ステップと、
連続して生成される複数の前記画像データにそれぞれ含まれる画像情報の変化に基づいて、時間の経過とともに画面内で移動する移動被写体を、前記移動方向に応じて定まる主要被写体の候補である主要被写体候補として検出する主要被写体候補検出ステップと、
を含むことを特徴とする撮像方法。
【請求項１６】
被写体を撮像して該被写体の画像データを連続的に生成し、前記画像データに対応する画像を生成順に表示するとともに仮記憶が可能な撮像装置に実行させるプログラムであって、
当該撮像装置が移動する移動方向を判定する移動方向判定ステップと、
連続して生成される複数の前記画像データにそれぞれ含まれる画像情報の変化に基づいて、時間の経過とともに画面内で移動する移動被写体を、前記移動方向に応じて定まる主要被写体の候補である主要被写体候補として検出する主要被写体候補検出ステップと、
を実行させることを特徴とするプログラム。
【手続補正書】
【提出日】平成26年6月18日(2014.6.18)
【手続補正１】
【補正対象書類名】特許請求の範囲
【補正対象項目名】全文
【補正方法】変更
【補正の内容】
【特許請求の範囲】
【請求項１】
ジョブを記憶する記憶手段と、
前記記憶手段に記憶された前記ジョブを実行するジョブ実行手段と、
前記ジョブの終了と非同期に、前記記憶手段に記憶したデータを上書き消去する消去手段と、
前記ジョブの実行が終了した際の終了時刻を各ジョブに対して、記録する記録手段と、
前記記憶手段に記憶された前記データの上書き消去が完了した各時刻の消去完了時刻を更新する更新手段と、
ジョブ毎に、前記ジョブの終了時刻が現在の消去完了時刻よりも早い場合に前記ジョブの消去が完了したと判断し、前記ジョブの終了時刻が現在の消去完了時刻よりも早くない場合に前記ジョブの消去が完了していないと判断する判断手段とを備える
ことを特徴とする情報処理装置。
【請求項２】
前記判断手段は、前記消去が完了した時刻により示される時刻が前記終了時刻により示される時刻より遅いと判断した場合に、前記ジョブの消去が完了したと判断する
ことを特徴とする請求項１に記載の情報処理装置。
【請求項３】
前記判断手段によって判断された各ジョブに対する判断結果を表示する表示手段をさらに備える
ことを特徴とする請求項１に記載の情報処理装置。
【請求項４】
前記終了時刻は、前記記憶手段に記憶される
ことを特徴とする請求項１に記載の情報処理装置。
【請求項５】
前記消去完了時刻は、前記記憶手段に記憶される
ことを特徴とする請求項１に記載の情報処理装置。
【請求項６】
ジョブを記憶する記憶工程と、
前記記憶工程において記憶された前記ジョブを実行する工程と、
前記ジョブの終了と非同期に、前記記憶工程において記憶したデータを上書き消去する工程と、
前記ジョブの実行が終了した際の終了時刻を各ジョブに対して、記録する工程と、
前記記憶工程において記憶された前記データの上書き消去が完了した各時刻の消去完了時刻を更新する工程と、
ジョブ毎に、前記ジョブの終了時刻が現在の消去完了時刻よりも早い場合に前記ジョブの消去が完了したと判断し、前記ジョブの終了時刻が現在の消去完了時刻よりも早くない場合に前記ジョブの消去が完了していないと判断する工程とを有する
ことを特徴とする情報処理方法。
【請求項７】
情報処理方法をコンピュータに実行させるコンピュータプログラムであって、
前記情報処理方法は、
前記記憶工程において記憶された前記ジョブを実行する工程と、
前記ジョブの終了と非同期に、前記記憶工程において記憶したデータを上書き消去する工程と、
前記ジョブの実行が終了した際の終了時刻を各ジョブに対して、記録する工程と、
前記記憶工程において記憶された前記データの上書き消去が完了した各時刻の消去完了時刻を更新する工程と、
ジョブ毎に、前記ジョブの終了時刻が現在の消去完了時刻よりも早い場合に前記ジョブの消去が完了したと判断し、前記ジョブの終了時刻が現在の消去完了時刻よりも早くない場合に前記ジョブの消去が完了していないと判断する工程とを有する。
【手続補正２】
【補正対象書類名】明細書
【補正対象項目名】０００９
【補正方法】変更
【補正の内容】
【０００９】
ジョブを記憶する記憶手段と、前記記憶手段に記憶された前記ジョブを実行するジョブ実行手段と、前記ジョブの終了と非同期に、前記記憶手段に記憶したデータを上書き消去する消去手段と、前記ジョブの実行が終了した際の終了時刻を各ジョブに対して、記録する記録手段と、前記記憶手段に記憶された前記データの上書き消去が完了した各時刻の消去完了時刻を更新する更新手段と、ジョブ毎に、前記ジョブの終了時刻が現在の消去完了時刻よりも早い場合に前記ジョブの消去が完了したと判断し、前記ジョブの終了時刻が現在の消去完了時刻よりも早くない場合に前記ジョブの消去が完了していないと判断する判断手段とを備える。
【手続補正書】
【提出日】平成26年5月20日(2014.5.20)
【手続補正１】
【補正対象書類名】特許請求の範囲
【補正対象項目名】全文
【補正方法】変更
【補正の内容】
【特許請求の範囲】
【請求項１】
演算回路と、前記演算回路からのデータを記憶する記憶装置とを有し、
前記記憶装置は複数の記憶素子を有し、
前記複数の記憶素子はそれぞれ、第１の論理素子と、第２の論理素子と、第１の選択トランジスタと、第２の選択トランジスタと、第１のトランジスタと、第２のトランジスタと、第１の容量素子と、第２の容量素子とを有し、
前記第１のトランジスタと前記第２のトランジスタとは、酸化物半導体層にチャネルが形成されるトランジスタであり、
前記複数の記憶素子それぞれにおいて、データの電位は、オン状態となった前記第１の選択トランジスタ及び前記第２のトランジスタを介して前記第１の論理素子の入力端子に与えられ、前記第１の論理素子の出力端子の電位がオン状態となった前記第２の選択トランジスタを介して出力信号として出力され、
前記第１の論理素子の出力端子の電位は、オン状態となった前記第１のトランジスタを介して前記第２の論理素子の入力端子に与えられ、
前記第２の論理素子の出力端子の電位は、オン状態となった前記第２のトランジスタを介して前記第１の論理素子の入力端子に与えられ、
前記第１のトランジスタと前記第２の論理素子の入力端子の間には、前記第１の容量素子の一対の電極のうちの一方の電極が電気的に接続され、
前記第２のトランジスタと前記第１の論理素子の入力端子の間には、前記第２の容量素子の一対の電極のうちの一方の電極が電気的に接続される信号処理回路。
【請求項２】
請求項１において、
前記第１の論理素子及び前記第２の論理素子は、インバータまたはクロックドインバータである信号処理回路。
【請求項３】
請求項１または請求項２において、
前記酸化物半導層は、Ｉｎ−Ｇａ−Ｚｎ−Ｏ系の酸化物半導体でなる信号処理回路。
【請求項４】
演算回路と、前記演算回路からのデータを記憶する記憶装置とを有し、
前記記憶装置は複数の記憶素子を有し、
前記複数の記憶素子はそれぞれ、第１の論理素子と、第２の論理素子と、第１の選択トランジスタと、第２の選択トランジスタと、第１のトランジスタと、第２のトランジスタと、第１の容量素子と、第２の容量素子とを有し、
前記第１のトランジスタと前記第２のトランジスタとは、酸化物半導体層にチャネルが形成されるトランジスタであり、
前記複数の記憶素子それぞれにおいて、データの電位は、オン状態となった前記第１の選択トランジスタ及び前記第２のトランジスタを介して前記第１の論理素子の入力端子に与えられ、前記第１の論理素子の出力端子の電位がオン状態となった前記第２の選択トランジスタを介して出力信号として出力され、
前記第１の論理素子の出力端子の電位は、オン状態となった前記第１のトランジスタを介して前記第２の論理素子の入力端子に与えられ、
前記第２の論理素子の出力端子の電位は、オン状態となった前記第２のトランジスタを介して前記第１の論理素子の入力端子に与えられ、
前記第１のトランジスタと前記第２の論理素子の入力端子の間には、前記第１の容量素子の一対の電極のうちの一方の電極が電気的に接続され、
前記第２のトランジスタと前記第１の論理素子の入力端子の間には、前記第２の容量素子の一対の電極のうちの一方の電極が電気的に接続され、
前記演算回路及び前記記憶装置への電源電圧の供給が行われ前記第１の論理素子及び前記第２の論理素子に電源電圧が供給されているとき、前記第１のトランジスタ及び前記第２のトランジスタをオン状態とした状態で、前記第１の選択トランジスタをオン状態として、前記演算回路から前記記憶装置にデータを入力して前記第１の論理素子の入力端子に前記データを入力した後、前記第１の選択トランジスタをオフ状態とし、
前記演算回路及び前記記憶装置への電源電圧の供給を停止して前記第１の論理素子及び前記第２の論理素子への電源電圧の供給を停止する前に、前記第１のトランジスタ及び前記第２のトランジスタをオフ状態にし、
前記演算回路及び前記記憶装置への電源電圧の供給を再開して前記第１の論理素子及び前記第２の論理素子に電源電圧を供給した後、前記第１のトランジスタ及び前記第２のトランジスタをオン状態とする信号処理回路の駆動方法。
【請求項５】
請求項４において、
前記第１のトランジスタと前記第２のトランジスタは、一方がオン状態のとき他方もオン状態となるように制御される信号処理回路の駆動方法。
【請求項６】
請求項４または請求項５において、
前記第１のトランジスタと前記第２のトランジスタが同じ導電型のトランジスタであり、
前記第１のトランジスタのゲートに入力される第１の制御信号と、前記第２のトランジスタのゲートに入力される第２の制御信号とは、同じ信号を用いる信号処理回路の駆動方法。
【手続補正書】
【提出日】平成26年4月14日(2014.4.14)
【手続補正１】
【補正対象書類名】明細書
【補正対象項目名】００２７
【補正方法】変更
【補正の内容】
【００２７】
スイッチＳＷ２の他端と接地点の間にインダクタＬ７とキャパシタＣ８が直列に接続されている。入力信号を第３の増幅素子Ｔｒ３が増幅する。スイッチＳＷ４の一端は増幅素子Ｔｒ３の出力に接続されている。スイッチＳＷ４の他端は、インダクタＬ９とスイッチＳＷ５を介して、インダクタＬ８とキャパシタＣ７の間に接続されている。その他の構成は実施の形態１と同様である。
【手続補正書】
【提出日】平成26年6月26日(2014.6.26)
【手続補正１】
【補正対象書類名】特許請求の範囲
【補正対象項目名】全文
【補正方法】変更
【補正の内容】
【特許請求の範囲】
【請求項１】
暗号化データに対して復号処理を行う復号処理手段と、
前記復号処理手段で復号処理された前記暗号化データの認証処理を行う認証処理手段と、
前記復号処理手段で復号処理された前記暗号化データの認証を行うために必要なパラメータを算出するパラメータ算出手段と、
前記算出されたパラメータおよび前記復号処理手段で復号処理された前記暗号化データを用いて前記認証処理手段への入力データを形成する入出力データ形成手段を有し、
前記復号処理手段は、前記暗号化データの最後のブロックから復号処理を行い、
前記パラメータ算出手段は、前記復号処理手段で復号処理された前記最後のブロックを用いて前記パラメータを算出することを特徴とする暗号処理装置。
【請求項２】
前記復号処理手段は、前記暗号化データの最後から２番目のブロックをイニシャルベクタとして、前記最後のブロックを復号処理することを特徴とする請求項１に記載の暗号処理装置。
【請求項３】
前記算出されたパラメータは、前記暗号化データのパディングデータのデータ長に関連付いたパラメータであることを特徴とする請求項１もしくは２に記載の暗号処理装置。
【請求項４】
前記入出力データ成形手段は、前記認証処理手段で得られたＭＡＣ値と、前記復号処理手段で得られたＭＡＣ値とを比較することを特徴とする請求項１乃至３の何れか１項に記載の暗号処理装置。
【請求項５】
前記パラメータ算出手段は、１パケットまたは１データグラムごとに、前記パラメータの算出を行うことを特徴とする請求項１乃至４の何れか１項に記載の暗号処理装置。
【請求項６】
さらに、前記入出力データ形成手段への入出力データの転送を制御する入出力データ転送手段を有し、
前記入出力データ形成手段は、さらに、前記復号処理手段で処理されたデータ、あるいは、前記認証処理手段で処理されたデータを一時保持するための中間データ保持手段を有する特徴とする請求項１乃至５の何れか１項に記載の暗号処理装置。
【請求項７】
前記復号処理および認証処理は、ＳＳＬ／ＴＬＳレコードプロトコル処理であることを特徴とする請求項１乃至６の何れか１項記載の暗号処理装置。
【手続補正２】
【補正対象書類名】明細書
【補正対象項目名】０００５
【補正方法】変更
【補正の内容】
【０００５】
上記課題を解決するため、データの転送回数を従来より削減し、復号処理と認証処理との並列化処理の高速化を目的とする。
本発明に係る暗号処理装置は、暗号化データに対して復号処理を行う復号処理手段と、前記復号処理手段で復号処理された前記暗号化データの認証処理を行う認証処理手段と、前記復号処理手段で復号処理された前記暗号化データの認証を行うために必要なパラメータを算出するパラメータ算出手段と、前記算出されたパラメータおよび前記復号処理手段で復号処理された前記暗号化データを用いて前記認証処理手段への入力データを形成する入出力データ形成手段を有し、前記復号処理手段は、前記暗号化データの最後のブロックから復号処理を行い、前記パラメータ算出手段は、前記復号処理手段で復号処理された前記最後のブロックを用いて前記パラメータを算出することを特徴とする。
【手続補正書】
【提出日】平成26年6月26日(2014.6.26)
【手続補正１】
【補正対象書類名】明細書
【補正対象項目名】０００６
【補正方法】変更
【補正の内容】
【０００６】
以上の課題を解決するために、本発明の画像処理装置は、複数の異なる視点に対応する複数の画像データを合成することで生成される合成画像データのフォーカス状態を示すリフォーカスパラメータを取得する取得手段と、前記リフォーカスパラメータに基づいて、前記合成画像データにおいて、ボケが不自然になる領域を判定する判定手段と、前記判定手段により判定された、前記合成画像データにおいてボケが不自然になる領域に基づいて、出力画像データを生成する生成手段とを有することを特徴とする。
【手続補正２】
【補正対象書類名】特許請求の範囲
【補正対象項目名】全文
【補正方法】変更
【補正の内容】
【特許請求の範囲】
【請求項１】
複数の異なる視点に対応する複数の画像データを合成することで生成される合成画像データのフォーカス状態を示すリフォーカスパラメータを取得する取得手段と、
前記リフォーカスパラメータに基づいて、前記合成画像データにおいて、ボケが不自然になる領域を判定する判定手段と、
前記判定手段により判定された、前記合成画像データにおいてボケが不自然になる領域に基づいて、出力画像データを生成する生成手段とを有することを特徴とする画像処理装置。
【請求項２】
前記判定手段は、前記合成画像データ中の各画像領域で、ボケの不自然さの度合いを示す係数を算出する算出手段を有し、前記算出手段により算出された前記係数が所定の閾値を超えている領域を、前記ボケが不自然になる領域として判定することを特徴とする請求項１に記載の画像処理装置。
【請求項３】
前記判定手段は、前記合成画像データ中の各画像領域で、自然なボケを生成するために必要な、合成に用いる画像データの枚数を導出する導出手段を有し、合成に用いる画像データの枚数が、前記導出手段により導出された枚数よりも少ない領域を、前記ボケが不自然になる領域として判定することを特徴とする請求項１又は２に記載の画像処理装置。
【請求項４】
前記合成画像データにおいて、前記ボケが不自然になる領域として判定された領域をユーザに通知する通知手段を更に有することを特徴とする請求項１乃至３のいずれか一項に記載の画像処理装置。
【請求項５】
前記生成手段は、前記出力画像データとして前記合成画像データが含む被写体と同じ被写体を含む画像データをユーザに対して表示するための表示画像データを生成し、
前記通知手段は、前記合成画像データにおいて前記ボケが不自然になる領域として判定された領域に対応する領域を含む一部の領域を、前記表示画像データにおいて表示しないことで、前記ボケが不自然になる領域として判定された領域をユーザに通知することを特徴とする請求項４に記載の画像処理装置。
【請求項６】
前記生成手段は、前記出力画像データとして前記合成画像データが含む被写体と同じ被写体を含む画像データをユーザに対して表示するための表示画像データを生成し、
前記通知手段は、前記合成画像データにおいて前記ボケが不自然になる領域として判定された領域に対応する領域を含む一部の領域を、前記表示画像データにおいて強調表示することで、前記ボケが不自然になる領域として判定された領域をユーザに通知することを特徴とする請求項４に記載の画像処理装置。
【請求項７】
複数の異なる視点に対応する複数の画像データを入力する入力手段と、
前記入力手段により入力された前記複数の画像データを、前記リフォーカスパラメータに基づいて合成することで、前記合成画像データを生成する合成手段とを更に有することを特徴とする請求項１乃至６のいずれか一項に記載の画像処理装置。
【請求項８】
前記リフォーカスパラメータは、前記合成画像データにおけるフォーカス距離を示す情報を含むことを特徴とする請求項１乃至７のいずれか一項に記載の画像処理装置。
【請求項９】
前記リフォーカスパラメータは、前記合成画像データにおける、前記フォーカス距離からの距離に応じたボケの大きさを示す情報を含むことを特徴とする請求項１乃至８のいずれか一項に記載の画像処理装置。
【請求項１０】
請求項１乃至９のいずれか一項に記載の画像処理装置としての機能を有し、前記複数の画像データを撮像する撮像部を更に有することを特徴とする撮像装置。
【請求項１１】
コンピュータを請求項１乃至９のいずれか一項に記載の画像処理装置として機能させるためのプログラム。
【請求項１２】
複数の異なる視点に対応する複数の画像データを合成することで生成される合成画像データのフォーカス状態を示すリフォーカスパラメータを取得する取得工程と、
前記リフォーカスパラメータに基づいて、前記合成画像データにおいて、ボケが不自然になる領域を判定する判定工程と、
前記判定工程において判定された、前記合成画像データにおいてボケが不自然になる領域に基づいて、出力画像データを生成する生成工程とを有することを特徴とする画像処理方法。
【手続補正書】
【提出日】平成26年6月26日(2014.6.26)
【手続補正１】
【補正対象書類名】明細書
【補正対象項目名】０００６
【補正方法】変更
【補正の内容】
【０００６】
以上の課題を解決するために、本発明の画像処理装置は、複数の視点から被写体を撮影して得られた複数の画像を入力する第一の入力手段と、前記複数の画像の撮影に用いられた撮影モードを示す情報を入力する第二の入力手段と、前記第二の入力手段に入力された前記撮影モードに応じて、前記複数の視点の間の視点に対応する画像として生成される複数の中間視点画像の枚数を決定する枚数決定手段と、前記複数の画像に基づいて、前記枚数決定手段により決定された枚数の複数の中間視点画像を生成する第一の生成手段と、前記複数の画像と、前記第一の生成手段により生成された前記複数の中間視点画像とを合成することで、合成画像を生成する第二の生成手段とを有することを特徴とする画像処理装置。
【手続補正２】
【補正対象書類名】特許請求の範囲
【補正対象項目名】全文
【補正方法】変更
【補正の内容】
【特許請求の範囲】
【請求項１】
複数の視点から被写体を撮影して得られた複数の画像を入力する第一の入力手段と、
前記複数の画像の撮影に用いられた撮影モードを示す情報を入力する第二の入力手段と、
前記第二の入力手段に入力された前記撮影モードに応じて、前記複数の視点の間の視点に対応する画像として生成される複数の中間視点画像の枚数を決定する枚数決定手段と、
前記複数の画像に基づいて、前記枚数決定手段により決定された枚数の複数の中間視点画像を生成する第一の生成手段と、
前記複数の画像と、前記第一の生成手段により生成された前記複数の中間視点画像とを合成することで、合成画像を生成する第二の生成手段とを有することを特徴とする画像処理装置。
【請求項２】
前記枚数決定手段は、前記第二の入力手段により入力された撮影モードが対応する被写体距離が小さいほど、生成する前記中間視点画像の数を多くすることを特徴とする請求項１に記載の画像処理装置。
【請求項３】
前記枚数決定手段は、前記撮影モードがマクロ撮影モードである場合に、前記撮影モードが通常撮影モードである場合よりも、生成する前記中間視点画像の数を多くすることを特徴とする請求項２に記載の画像処理装置。
【請求項４】
前記枚数決定手段は、前記撮影モードが風景撮影モードである場合に、前記撮影モードが通常撮影モードである場合よりも、生成する前記中間視点画像の数を少なくすることを特徴とする請求項２又は３に記載の画像処理装置。
【請求項５】
前記第一の生成手段は、生成する前記複数の中間視点画像が対応する複数の視点間の距離を、前記第二の入力手段により入力された撮影モードに基づいて決定することを特徴とする請求項１乃至４のいずれか一項に記載の画像処理装置。
【請求項６】
前記合成画像の、ピント位置およびぼけの大きさを示す情報を入力する第三の入力手段と、
前記第三の入力手段により入力された前記ピント位置およびぼけの大きさを示す情報に基づいて、前記複数の画像のそれぞれ、及び前記複数の中間視点画像のそれぞれに対する重み係数を決定する重み決定手段とを更に有し、
前記第二の生成手段は、前記重み係数を前記複数の画像と前記複数の中間視点画像とに乗じて、前記複数の画像と前記複数の中間視点画像とを合成することにより前記合成画像を生成することを特徴とする請求項１乃至５のいずれか一項に記載の画像処理装置。
【請求項７】
ユーザの指示により前記合成画像のぼけの大きさを設定する設定手段を更に有し、
前記第三の入力手段は、前記設定手段により設定されたぼけの大きさを示す情報を入力し、
前記設定手段は、前記撮影モードに応じて設定可能なぼけの大きさを制限することを特徴とする請求項６に記載の画像処理装置。
【請求項８】
請求項１乃至７のいずれか一項に記載の画像処理装置と、前記複数の画像を撮像する撮像部とを有する撮像装置。
【請求項９】
コンピュータを請求項１乃至７のいずれか一項に記載の画像処理装置として機能させるためのプログラム。
【請求項１０】
複数の視点から被写体を撮影して得られた複数の画像を入力する第一の入力工程と、
前記複数の画像の撮影に用いられた撮影モードを示す情報を入力する第二の入力工程と、
前記第二の入力工程で入力された前記撮影モードに対応する被写体距離に応じて、前記複数の視点の間の視点に対応する画像として生成される複数の中間視点画像の枚数を決定する枚数決定工程と、
前記複数の画像に基づいて、前記枚数決定工程で決定された枚数の複数の中間視点画像を生成する第一の生成工程と、
前記複数の画像と、前記第一の生成工程で生成された前記複数の中間視点画像とを合成することで、合成画像を生成する第二の生成工程とを有することを特徴とする画像処理方法。
【手続補正書】
【提出日】平成26年1月15日(2014.1.15)
【手続補正１】
【補正対象書類名】明細書
【補正対象項目名】００４３
【補正方法】変更
【補正の内容】
【００４３】  また、荷電粒子線照射装置１は、延長ダクト１０の内部圧力を表示する圧力計３７を備えている。圧力計３７は、延長ダクト１０の出口部１０ｃの側面に取り付けられている。圧力計３７のメータ表示部は、照射ノズル５より突出しており、回転ガントリ４内の治療室から見やすい位置に配置されている。
【手続補正書】
【提出日】平成26年6月24日(2014.6.24)
【手続補正１】
【補正対象書類名】特許請求の範囲
【補正対象項目名】全文
【補正方法】変更
【補正の内容】
【特許請求の範囲】
【請求項１】
光透過性を有する第１基板と、
前記第１基板の一方の面側に設けられた発光素子と、
前記第１基板の他方の面側にも設けられた受光素子と、を含み、
前記第１基板を平面視したときに、前記発光素子と前記受光素子とは重ねて配置され、前記受光素子は前記発光素子が重なる領域にも形成されており、
前記発光素子の占める面積は前記受光素子の占める面積よりも小さく、
前記受光素子は、前記発光素子が生体に対して出射した光の反射光を受光することを特徴とする生体センサー。
【請求項２】
前記発光素子は、前記第１基板から向かって順に、反射層、第１電極層、発光層および第２電極層を少なくとも含んだ積層体であることを特徴とする請求項１に記載の生体センサー。
【請求項３】
前記第１基板と前記発光素子との間に、前記受光素子に前記発光素子からの直接の光を遮断する遮光層が形成されていることを特徴とする請求項１又は２に記載の生体センサー。
【請求項４】
前記第１の基板を平面視したときに、前記発光素子は、前記受光素子の中心位置を中心とした環状に設けられていることを特徴とする請求項１乃至３のいずれかに記載の生体センサー。
【請求項５】
前記発光素子は、前記中心位置を中心とした径の異なる複数の発光部から構成されていることを特徴とする請求項１乃至４のいずれかに記載の生体センサー。
【請求項６】
請求項１乃至５のいずれかに記載の生体センサーと、
前記受光素子から出力される信号に基づいて生体情報を出力する演算処理回路と、
を備える生体情報検出装置。
【手続補正２】
【補正対象書類名】明細書
【補正対象項目名】０００５
【補正方法】変更
【補正の内容】
【０００５】
上記の課題の少なくとも一部を解決するために本発明に係るひとつの生体センサーは、光透過性を有する第１基板と、前記第１基板の一方の面側に設けられた発光素子と、前記第１基板の他方の面側にも設けられた受光素子と、を含み、前記第１基板を平面視したときに、前記発光素子と前記受光素子とは重ねて配置され、前記受光素子は前記発光素子が重なる領域にも形成されており、前記発光素子の占める面積は前記受光素子の占める面積よりも小さく、前記受光素子は、前記発光素子が生体に対して出射した光の反射光を受光することを特徴とする。
上記のひとつの生体センサーにおいて、前記発光素子は、前記第１基板から向かって順に、反射層、第１電極層、発光層および第２電極層を少なくとも含んだ積層体であることが好ましい。
上記のひとつの生体センサーにおいて、前記第１基板と前記発光素子との間に、前記受光素子に前記発光素子からの直接の光を遮断する遮光層が形成されていることが好ましい。
上記のひとつの生体センサーにおいて、前記第１の基板を平面視したときに、前記発光素子は、前記受光素子の中心位置を中心とした環状に設けられていることが好ましい。
上記のひとつの生体センサーにおいて、前記発光素子は、前記中心位置を中心とした径の異なる複数の発光部から構成されていることが好ましい。
本発明に係るひとつの生体情報検出装置は、上記に記載のひとつの生体センサーと、前記受光素子から出力される信号に基づいて生体情報を出力する演算処理回路と、を備えることが好ましい。
上記課題を解決するために、本発明に係る生体センサーにあっては、光透過性を有する第１基板と、前記第１基板の一方の面側に設けられ、光を出射する発光素子と、前記第１基板の他方の面側に設けられ、前記発光素子から出射した光のうち、生体からの反射光を受光して、当該受光に応じた信号を出力する受光素子と、を具備することを特徴とする。本発明によれば、光透過性を有する第１基板に対し、発光素子と受光素子とが互いに異なる面にそれぞれ設けられるので、発光素子からの漏光が受光素子に受光されてしまうのを抑えることができるほか、受光素子の受光領域を広く確保することができる。したがって、本発明によれば、微弱な光成分を精度良く検出することが可能になる。
【手続補正書】
【提出日】平成26年6月24日(2014.6.24)
【手続補正１】
【補正対象書類名】特許請求の範囲
【補正対象項目名】全文
【補正方法】変更
【補正の内容】
【特許請求の範囲】
【請求項１】
打撃用具のインパクトのタイミングを判定するインパクト判定部と、
前記インパクトの前は、打撃用具に取り付けられる第１のセンサーの検出信号を用いて第１の運動解析情報を算出し、前記インパクトの後は、ユーザーの部位に取り付けられる第２のセンサーの検出信号を用いて第２の運動解析情報を算出する運動解析情報算出部と、を含む、運動解析装置。
【請求項２】
請求項１において、
前記インパクトは、前記第１のセンサーの検出信号に基づいて検出される、運動解析装置。
【請求項３】
請求項１または２において、
前記第１のセンサーの検出信号は、前記打撃用具の角速度の情報を含む、運動解析装置。
【請求項４】
請求項１ないし３のいずれか一項において、
前記第２のセンサーの検出信号は、前記打撃用具の動きに連動する前記部位の角速度の情報を含む、運動解析装置。
【請求項５】
請求項１ないし４のいずれか一項において、
前記第１のセンサーの検出信号は、前記打撃用具の加速度の情報を含む、運動解析装置。
【請求項６】
請求項１ないし５のいずれか一項において、
前記第２のセンサーの検出信号は、前記打撃用具の動きに連動する前記部位の加速度の情報を含む、運動解析装置。
【請求項７】
請求項１ないし６のいずれか一項において、
前記インパクトの後の前記第１のセンサーの検出信号の振幅及び周期の少なくとも一方に基づいて、特定時間を決定する特定時間決定部を含む、運動解析装置。
【請求項８】
請求項７において、
前記運動解析情報算出部は、
少なくとも前記特定時間の間は、前記第２のセンサーの検出信号を用いて前記第２の運動解析情報を算出する、運動解析装置。
【請求項９】
請求項７において、
前記特定時間決定部は、
前記インパクトの後の前記第１のセンサーの検出信号が飽和している時間を前記特定時間に含める、運動解析装置。
【請求項１０】
打撃用具に取り付けられる第１のセンサーと、
ユーザーの部位に取り付けられる第２のセンサーと、
前記打撃用具のインパクトのタイミングを判定するインパクト判定部と、
前記インパクトの前は、前記第１のセンサーの検出信号を用いて第１の運動解析情報を算出し、前記インパクトの後は、前記第２のセンサーの検出信号を用いて第２の運動解析情報を算出する運動解析情報算出部と、を含む、運動解析システム。
【請求項１１】
打撃用具のインパクトのタイミングを判定する手順と、
前記インパクトの前は、前記打撃用具に取り付けられる第１のセンサーの検出信号を用いて第１の運動解析情報を算出する手順と、
前記インパクトの後は、前記打撃用具の動きに連動しユーザーの部位に取り付けられる第２のセンサーの検出信号を用いて第２の運動解析情報を算出する手順と、
をコンピューターに実行させる、運動解析プログラム。
【請求項１２】
請求項１１に記載の運動解析プログラムを記録した、コンピューター読み取り可能な記録媒体。
【手続補正２】
【補正対象書類名】明細書
【補正対象項目名】発明の名称
【補正方法】変更
【補正の内容】
【発明の名称】運動解析装置、運動解析システム、運動解析プログラム、および、記録媒体
【手続補正書】
【提出日】平成25年11月26日(2013.11.26)
【手続補正１】
【補正対象書類名】特許請求の範囲
【補正対象項目名】全文
【補正方法】変更
【補正の内容】
【特許請求の範囲】
【請求項１】
ブロック単位で動き補償予測を行う動画像復号装置であって、
復号対象ブロックのブロックサイズが所定の閾サイズより大きい場合、復号済み画像にあるブロックから予測動きベクトル候補を導出し、前記復号対象ブロックのブロックサイズが前記所定の閾サイズ以下の場合、前記予測動きベクトル候補を導出しない予測動きベクトル候補生成部を備えることを特徴とする動画像復号装置。
【請求項２】
ブロック単位で動き補償予測を行う動画像復号方法であって、
復号対象ブロックのブロックサイズが所定の閾サイズより大きい場合、復号済み画像にあるブロックから予測動きベクトル候補を導出し、前記復号対象ブロックのブロックサイズが前記所定の閾サイズ以下の場合、前記予測動きベクトル候補を導出しない予測動きベクトル候補生成ステップを備えることを特徴とする動画像復号方法。
【請求項３】
ブロック単位で動き補償予測を行う動画像復号プログラムであって、
復号対象ブロックのブロックサイズが所定の閾サイズより大きい場合、復号済み画像にあるブロックから予測動きベクトル候補を導出し、前記復号対象ブロックのブロックサイズが前記所定の閾サイズ以下の場合、前記予測動きベクトル候補を導出しない予測動きベクトル候補生成ステップをコンピュータに実行させることを特徴とする動画像復号プログラム。
【請求項４】
ブロック単位で動き補償予測を行うことにより動画像が符号化された符号化ビット列を受信して復号する受信装置であって、
前記符号化ビット列がパケット化された符号化データを受信する受信部と、
受信された前記符号化データをパケット処理して元の符号化ビット列を復元する復元部と、
復号対象ブロックのブロックサイズが所定の閾サイズより大きい場合、復号済み画像にあるブロックから予測動きベクトル候補を導出し、前記復号対象ブロックのブロックサイズが前記所定の閾サイズ以下の場合、前記予測動きベクトル候補を導出しない予測動きベクトル候補生成部とを備えることを特徴とする受信装置。
【請求項５】
ブロック単位で動き補償予測を行うことにより動画像が符号化された符号化ビット列を受信して復号する受信方法であって、
前記符号化ビット列がパケット化された符号化データを受信する受信ステップと、
受信された前記符号化データをパケット処理して元の符号化ビット列を復元する復元ステップと、
復号対象ブロックのブロックサイズが所定の閾サイズより大きい場合、復号済み画像にあるブロックから予測動きベクトル候補を導出し、前記復号対象ブロックのブロックサイズが前記所定の閾サイズ以下の場合、前記予測動きベクトル候補を導出しない予測動きベクトル候補生成ステップとを備えることを特徴とする受信方法。
【請求項６】
ブロック単位で動き補償予測を行うことにより動画像が符号化された符号化ビット列を受信して復号する受信プログラムであって、
前記符号化ビット列がパケット化された符号化データを受信する受信ステップと、
受信された前記符号化データをパケット処理して元の符号化ビット列を復元する復元ステップと、
復号対象ブロックのブロックサイズが所定の閾サイズより大きい場合、復号済み画像にあるブロックから予測動きベクトル候補を導出し、前記復号対象ブロックのブロックサイズが前記所定の閾サイズ以下の場合、前記予測動きベクトル候補を導出しない予測動きベクトル候補生成ステップとをコンピュータに実行させることを特徴とするる受信プログラム。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１５
【補正方法】変更
【補正の内容】
【００１５】
本発明のさらに別の態様は、受信装置である。この装置は、ブロック単位で動き補償予測を行うことにより動画像が符号化された符号化ビット列を受信して復号する受信装置であって、前記符号化ビット列がパケット化された符号化データを受信する受信部と、受信された前記符号化データをパケット処理して元の符号化ビット列を復元する復元部と、復号対象ブロックのブロックサイズが所定の閾サイズより大きい場合、復号済み画像にあるブロックから予測動きベクトル候補を導出し、前記復号対象ブロックのブロックサイズが前記所定の閾サイズ以下の場合、前記予測動きベクトル候補を導出しない予測動きベクトル候補生成部（１３３）とを備える。
【手続補正７】
【補正対象書類名】明細書
【補正対象項目名】００１６
【補正方法】変更
【補正の内容】
【００１６】
本発明のさらに別の態様は、受信方法である。この方法は、ブロック単位で動き補償予測を行うことにより動画像が符号化された符号化ビット列を受信して復号する受信方法であって、前記符号化ビット列がパケット化された符号化データを受信する受信ステップと、受信された前記符号化データをパケット処理して元の符号化ビット列を復元する復元ステップと、復号対象ブロックのブロックサイズが所定の閾サイズより大きい場合、復号済み画像にあるブロックから予測動きベクトル候補を導出し、前記復号対象ブロックのブロックサイズが前記所定の閾サイズ以下の場合、前記予測動きベクトル候補を導出しない予測動きベクトル候補生成ステップとを備える。
【手続補正書】
【提出日】平成26年6月17日(2014.6.17)
【手続補正１】
【補正対象書類名】特許請求の範囲
【補正対象項目名】全文
【補正方法】変更
【補正の内容】
【特許請求の範囲】
【請求項１】
複数の信号源と、
前記複数の信号源の各々に対応して設けられ、対応する前記信号源からの信号をアナログデジタル変換する複数のアナログデジタル変換器とを有し、
前記複数の信号源の各々は、複数の画素と信号処理部を含み、対応する前記信号源で生成されたノイズを含む第１の信号と、前記画素で光電変換された電荷に基づく第２の信号とを出力し、
前記複数のアナログデジタル変換器の各々は、
前記第１の信号を第１の時間変化率を持つ第１の参照信号と比較することで前記第１の信号をアナログデジタル変換し、
前記第２の信号が所定のしきい値を下回る場合には、前記第２の信号を前記第１の参照信号と比較することで前記第２の信号をアナログデジタル変換し、
前記第２の信号が前記所定のしきい値を超えている場合には、前記第２の信号を前記第１の参照信号よりも大きな時間変化率を持つ第２の参照信号と比較することで前記第２の信号をアナログデジタル変換することを特徴とする撮像装置。
【請求項２】
前記信号処理部は、前記画素から出力された信号を増幅する増幅回路であり、
前記複数の信号源の各々は、前記増幅回路で増幅された信号を前記第２の信号として出力することを特徴とする請求項１記載の撮像装置。
【請求項３】
さらに、前記第２の参照信号を生成する参照信号発生回路と、
前記参照信号発生回路により生成された前記第２の参照信号を減衰させることにより前記第１の参照信号を生成するアッテネータとを有することを特徴とする請求項１又は２記載の撮像装置。
【請求項４】
前記複数のアナログデジタル変換器の各々は、
前記第１の信号又は前記第２の信号の比較を行う比較回路と、
前記比較回路の比較の大小関係が逆転するまでの間にカウント動作を行うカウンタ回路とを有することを特徴とする請求項１〜３のいずれか１項に記載の撮像装置。
【請求項５】
前記画素、前記比較回路及び前記カウンタ回路は、撮像素子内に設けられ、
前記撮像素子は、前記カウンタ回路の計数値のうちの少なくとも前記第２の参照信号に対応する計数値をビットシフトするビットシフト部を有することを特徴とする請求項４記載の撮像装置。
【請求項６】
前記画素、前記比較回路及び前記カウンタ回路は、撮像素子内に設けられ、
さらに、前記撮像素子の外部に設けられ、前記カウンタ回路の計数値のうちの少なくとも前記第２の参照信号に対応する計数値をビットシフトするビットシフト部を有することを特徴とする請求項４記載の撮像装置。
【請求項７】
さらに、制御信号に応じて、前記ビットシフト部によりビットシフトされたデータのビット数を減らすビット数調整部を有する請求項５又は６記載の撮像装置。
【請求項８】
前記カウンタ回路の計数値は、前記画素の信号のレベルを示すフラグと共に出力されることを特徴とする請求項４〜７のいずれか１項に記載の撮像装置。
【請求項９】
さらに、行列状に配列された複数の前記画素を有し、
前記比較回路を前記複数の画素の各列に有することを特徴とする請求項４〜８のいずれか１項に記載の撮像装置。
【請求項１０】
複数の信号源と、
前記複数の信号源の各々に対応して設けられ、対応する前記信号源からの信号をアナログデジタル変換する複数のアナログデジタル変換器とを有する撮像装置の駆動方法であって、
前記複数の信号源の各々は、複数の画素と信号処理部を含み、対応する前記信号源で生成されたノイズを含む第１の信号と、前記画素で光電変換された電荷に基づく第２の信号とを出力し、
前記複数のアナログデジタル変換器の各々により、前記第１の信号を第１の時間変化率を持つ第１の参照信号と比較することで前記第１の信号をアナログデジタル変換し、
前記複数のアナログデジタル変換器の各々により、前記第２の信号が所定のしきい値を下回る場合には、前記第２の信号を前記第１の参照信号と比較することで前記第２の信号をアナログデジタル変換し、
前記複数のアナログデジタル変換器の各々により、前記第２の信号が前記所定のしきい値を超えている場合には、前記第２の信号を前記第１の参照信号よりも大きな時間変化率を持つ第２の参照信号と比較することで前記第２の信号をアナログデジタル変換することを特徴とする撮像装置の駆動方法。
【手続補正２】
【補正対象書類名】明細書
【補正対象項目名】０００７
【補正方法】変更
【補正の内容】
【０００７】
本発明の撮像装置は、複数の信号源と、前記複数の信号源の各々に対応して設けられ、対応する前記信号源からの信号をアナログデジタル変換する複数のアナログデジタル変換器とを有し、前記複数の信号源の各々は、複数の画素と信号処理部を含み、対応する前記信号源で生成されたノイズを含む第１の信号と、前記画素で光電変換された電荷に基づく第２の信号とを出力し、前記複数のアナログデジタル変換器の各々は、前記第１の信号を第１の時間変化率を持つ第１の参照信号と比較することで前記第１の信号をアナログデジタル変換し、前記第２の信号が所定のしきい値を下回る場合には、前記第２の信号を前記第１の参照信号と比較することで前記第２の信号をアナログデジタル変換し、前記第２の信号が前記所定のしきい値を超えている場合には、前記第２の信号を前記第１の参照信号よりも大きな時間変化率を持つ第２の参照信号と比較することで前記第２の信号をアナログデジタル変換することを特徴とする。
【手続補正３】
【補正対象書類名】明細書
【補正対象項目名】０００８
【補正方法】変更
【補正の内容】
【０００８】
高分解能の画素信号のデジタルデータを得ることができる。
【手続補正書】
【提出日】平成26年6月5日(2014.6.5)
【手続補正１】
【補正対象書類名】特許請求の範囲
【補正対象項目名】全文
【補正方法】変更
【補正の内容】
【特許請求の範囲】
【請求項１】
行方向および列方向に複数の画素が配列された画素配列と、複数の画素の出力を前記列方向において混合する混合手段とを備えた撮像素子を有する撮像装置であって、
前記画素配列は、各々が光電変換部を持つ複数の有効画素が配置された有効画素領域と、前記有効画素領域の出力を補正する基準信号を出力する複数の基準画素が配置された基準画素領域から構成され、
前記混合手段により前記複数の有効画素の出力を混合して読み出す場合に、前記混合手段により前記複数の基準画素の出力を混合しないで読み出すことを特徴とする撮像装置。
【請求項２】
前記基準画素領域は、各々が遮光された光電変換部を持つ複数の第１の基準画素が配置された第１の基準画素領域と、各々が光電変換部を持たない複数の第２の基準画素が配置された第２の基準画素領域とを備え、
前記混合手段により前記複数の有効画素の出力を混合して読み出す場合に、前記混合手段により前記複数の第１の基準画素の出力を混合して読み出すとともに、前記混合手段により前記複数の第２の基準画素の出力を混合せずに読み出すことを特徴とする請求項１に記載の撮像装置。
【請求項３】
さらに、前記基準画素領域から出力される前記基準信号を用いて、前記有効画素領域の出力を補正する補正手段を有することを特徴とする請求項１に記載の撮像装置。
【請求項４】
前記有効画素領域及び前記第１の基準画素領域は前記混合手段を備え、前記第２の基準画素領域は前記混合手段を備えないことを特徴とする請求項２に記載の撮像装置。
【請求項５】
前記有効画素及び前記第１の基準画素は、前記光電変換部と、電荷を電圧に変換する浮遊拡散領域と、前記光電変換部で発生した電荷を前記浮遊拡散領域に転送する転送スイッチと、前記浮遊拡散領域により変換された電圧に応じた信号を出力するアンプと、前記アンプから出力された信号を列出力線に出力する選択スイッチと、前記浮遊拡散領域をリセット電位にリセットするリセットスイッチとを備え、前記第２の基準画素は、前記第１の基準画素及び前記有効画素の構成から前記光電変換部を除いた構成を備えることを特徴とする請求項２又は４に記載の撮像装置。
【請求項６】
前記混合手段により前記複数の有効画素の出力を混合して読み出す場合、前記第２の基準画素領域の信号を読み出す際に、前記複数の第２の基準画素の前記選択スイッチを並行してオンするとともに、前記複数の第２の基準画素の前記転送スイッチを並行してオンすることを特徴とする請求項５に記載の撮像装置。
【請求項７】
行方向および列方向に複数の画素が配列された画素配列と、前記複数の画素の出力を混合する混合手段とを備えた撮像素子を有する撮像装置の制御方法であって、
前記画素配列は、各々が光電変換部を持つ複数の有効画素が配置された有効画素領域と、前記有効画素領域の出力を補正する基準信号を出力する複数の基準画素が配置された基準画素領域から構成され、
前記混合手段により前記複数の有効画素の出力を混合して読み出す場合に、前記混合手段により前記複数の基準画素の出力を混合しないで読み出すことを特徴とする撮像装置の制御方法。
【手続補正２】
【補正対象書類名】明細書
【補正対象項目名】００１３
【補正方法】変更
【補正の内容】
【００１３】
本発明の撮像装置は、行方向および列方向に複数の画素が配列された画素配列と、複数の画素の出力を前記列方向において混合する混合手段とを備えた撮像素子を有する撮像装置であって、前記画素配列は、各々が光電変換部を持つ複数の有効画素が配置された有効画素領域と、前記有効画素領域の出力を補正する基準信号を出力する複数の基準画素が配置された基準画素領域から構成され、前記混合手段により前記複数の有効画素の出力を混合して読み出す場合に、前記混合手段により前記複数の基準画素の出力を混合しないで読み出すことを特徴とする。
【手続補正３】
【補正対象書類名】明細書
【補正対象項目名】００１４
【補正方法】変更
【補正の内容】
【００１４】
本発明の撮像装置の制御方法は、行方向および列方向に複数の画素が配列された画素配列と、前記複数の画素の出力を混合する混合手段とを備えた撮像素子を有する撮像装置の制御方法であって、前記画素配列は、各々が光電変換部を持つ複数の有効画素が配置された有効画素領域と、前記有効画素領域の出力を補正する基準信号を出力する複数の基準画素が配置された基準画素領域から構成され、前記混合手段により前記複数の有効画素の出力を混合して読み出す場合に、前記混合手段により前記複数の基準画素の出力を混合しないで読み出すことを特徴とする。
【手続補正４】
【補正対象書類名】明細書
【補正対象項目名】００１５
【補正方法】変更
【補正の内容】
【００１５】
本発明によれば、画素混合処理機能を備えた撮像素子を有する撮像装置において、基準画素領域の画素数が少ない場合でも、良好な撮影画像を取得することができる。